(57)【要約】      （修正有）【課題】聴覚機器におけるビームフォーミング制御の改善により、補聴器ユーザーにより優れた聴覚体験を提供するバイノーラル聴覚システムを提供する。【解決手段】バイノーラル聴覚システムは、聴覚機器２と、対側聴覚機器と、を備える。聴覚機器２は、バイノーラルシステムの対側聴覚機器から受信した対側信号５を提供する送受信機モジュール４と、第１マイクロホン入力信号６Ａと第２マイクロホン入力信号８Ａをそれぞれ提供するための、第１マイクロホン６と第２マイクロホン８とを備えるマイクロホン組と、第１マイクロホン入力信号６Ａ、第２マイクロホン入力信号８Ａ、対側信号５を受信、処理するビームフォーミングモジュール１０と、を備える。【選択図】図１
2019135826.tif 000002
【特許請求の範囲】
【請求項１】
バイノーラル聴覚システムの聴覚機器であって、
前記バイノーラル聴覚システムは、前記聴覚機器と、対側聴覚機器と、を備え、
前記聴覚機器は、
前記バイノーラルシステムの前記対側聴覚機器と通信するための送受信機モジュールであって、前記対側聴覚機器から受信した対側信号を提供するように構成される送受信機モジュールと、
第１マイクロホン入力信号と第２マイクロホン入力信号をそれぞれ提供するための、第１マイクロホンと第２マイクロホンとを備えるマイクロホン組と、
前記第１マイクロホンと前記第２マイクロホンとに接続され、前記第１マイクロホン入力信号と、前記第２マイクロホン入力信号と、前記対側信号とを処理するビームフォーミングモジュールであって、第１ビームフォーミング済み入力信号を提供するように構成されるビームフォーミングモジュールと、
前記第１ビームフォーミング済み入力信号に基づいて電気出力信号を提供するように構成される処理部と、
前記電気出力信号に基づいてオーディオ出力信号を提供するように構成されるレシーバと、
前記ビームフォーミングモジュールと前記送受信機モジュールとに接続されるビームフォーミングコントローラと、を備え、
前記ビームフォーミングコントローラは、
前記ビームフォーミングモジュールを制御して第１係数組の少なくとも一部を適用し、
前記ビームフォーミングモジュールに対する目標係数組を決定し、
前記第１係数組の１つ以上の係数と前記目標係数組の１つ以上の係数に基づいて第１中間係数組を決定し
前記ビームフォーミングモジュールを制御して前記第１中間係数組の少なくとも一部を適用し、
前記ビームフォーミングモジュールを制御して前記目標係数組の少なくとも一部を適用する、ように構成される、聴覚機器。
【請求項２】
前記第１中間係数組は正規化される、請求項１に記載の聴覚機器。
【請求項３】
前記ビームフォーミングコントローラは、前記目標係数組が柔軟な制御基準を満たすか否かを決定するように構成され、
前記目標係数組が前記柔軟な制御基準を満たすとき、前記ビームフォーミングコントローラは、前記第１中間係数組を決定し、前記ビームフォーミングモジュールを制御して、前記第１中間係数組の少なくとも一部を適用するように構成される、請求項１または２に記載の聴覚機器。
【請求項４】
前記柔軟な制御基準は、知覚パラメータに基づいている、請求項１から３のいずれか一項に記載の聴覚機器。
【請求項５】
前記知覚パラメータは、１つ以上のユーザーの好みに基づいている、請求項１から４のいずれか一項に記載の聴覚機器。
【請求項６】
前記柔軟な制御基準は、ステップパラメータに基づいている、請求項１から５のいずれか一項に記載の聴覚機器。
【請求項７】
前記ステップパラメータは、ある範囲から選択される、請求項６に記載の聴覚機器。
【請求項８】
前記ビームフォーミングコントローラは、音響環境パラメータに基づいて前記目標係数組を決定するように構成される、請求項１から７のいずれか一項に記載の聴覚機器。
【請求項９】
前記ビームフォーミングコントローラは、統計的期待値に基づいて前記第１係数組のコスト関数を最適化することで、前記ビームフォーミングモジュールに対する前記目標係数組を決定するように構成される、請求項１から８のいずれか一項に記載の聴覚機器。
【請求項１０】
前記ビームフォーミングコントローラは、第２中間係数組を決定するように構成され、
前記ビームフォーミングコントローラは、前記目標係数組を適用する前に、前記ビームフォーミングモジュールを制御して前記第１中間係数組と前記第２中間係数組との少なくとも一部を適用するように構成される、請求項１から９のいずれか一項に記載の聴覚機器。
【請求項１１】
聴覚機器のビームフォーミングを制御する方法であって、
前記方法は、
ビームフォーミングスキームを制御して第１係数組の少なくとも一部をマイクロホン入力信号と対側信号とに適用することと、
目標係数組を決定することと、
前記第１係数組における１つ以上の係数と前記目標係数組における１つ以上の係数とに基づいて、第１中間係数組を決定することと、
前記ビームフォーミングスキームを制御して前記第１中間係数組の少なくとも一部を前記マイクロホン入力信号と前記対側信号とに適用することと、
前記ビームフォーミングスキームを制御して前記目標係数組の少なくとも一部を前記マイクロホン入力信号と前記対側信号とに適用することと、を備える方法。
【請求項１２】
前記方法は、前記目標係数組が柔軟な制御基準を満たすか否かを決定することを備え、
前記目標係数組が前記柔軟な制御基準を満たすとき、前記第１中間係数組を決定することと、前記ビームフォーミングモジュールを制御して、前記第１中間係数組の少なくとも一部を適用することとが実行される、請求項１１に記載の方法。
【請求項１３】
前記目標係数組を決定することは、音響環境パラメータに基づいて実行される、請求項１１または１２に記載の方法。
【請求項１４】
前記目標係数組を決定することは、統計的期待値に基づいて前記第１係数組のコスト関数を最適化することを備える、請求項１１から１３のいずれか一項に記載の方法。
【請求項１５】
前記方法は、
第２中間係数組を決定することと、
前記目標係数組を適用する前に、前記ビームフォーミングモジュールを制御して前記第１中間係数組と第２中間係数組の少なくとも一部を適用することと、を備える、請求項１１から１４のいずれか一項に記載の方法。
【発明の詳細な説明】
【技術分野】
【０００１】
本開示は、バイノーラル聴覚システムの聴覚機器と、聴覚機器のビームフォーミングを制御する方法に関する。
【背景技術】
【０００２】
聴覚機器メーカーは、通常の聴覚や、人の脳の知覚を再現して、聴覚機器のユーザーに満足な聴覚体験を提供するような聴覚機器を実現するために、数多くの課題に直面する。
【０００３】
聴覚系および音響環境と上手く連携する聴覚機器を開発することは、依然として難題である。
【発明の概要】
【発明が解決しようとする課題】
【０００４】
したがって、上述の課題や困難を克服または解決するための装置および方法が求められている。本開示の目的は、聴覚機器におけるビームフォーミング制御の改善により、補聴器ユーザーにより優れた聴覚体験を提供する装置および方法を提供することである。
【０００５】
バイノーラル聴覚システムの聴覚機器が開示され、バイノーラル聴覚システムは、聴覚機器と、対側聴覚機器と、を備える。聴覚機器は、バイノーラルシステムの対側聴覚機器と通信するための送受信機モジュールであって、対側聴覚機器から受信した対側信号を提供するように構成される送受信機モジュールと、第１マイクロホン入力信号と第２マイクロホン入力信号をそれぞれ提供するための、第１マイクロホンと第２マイクロホンとを備えるマイクロホン組と、を備える。聴覚機器は、第１マイクロホンと第２マイクロホンとに接続され、第１マイクロホン入力信号と第２マイクロホン入力信号と対側信号とを処理するビームフォーミングモジュールであって、第１ビームフォーミング済み入力信号を提供するように構成されるビームフォーミングモジュールと、第１ビームフォーミング済み入力信号を処理するための処理部であって、ビームフォーミングモジュールからの第１ビームフォーミング済み入力信号に基づいて電気出力信号を提供するための処理部と、を備える。聴覚機器は、電気出力信号をオーディオ出力信号に変換するためのレシーバと、ビームフォーミングモジュールと送受信機モジュールとに接続されるビームフォーミングコントローラと、を備える。ビームフォーミングコントローラは、ビームフォーミングモジュールを制御して第１係数組の少なくとも一部を前記ビームフォーミングモジュール適用し、ビームフォーミングモジュールに対する目標係数組を決定し、第１係数組と目標係数組とに基づいて第１中間係数組を決定するように構成される。ビームフォーミングコントローラは、ビームフォーミングモジュールを制御して第１中間係数組の少なくとも一部をビームフォーミングモジュールに適用し、ビームフォーミングモジュールを制御して目標係数組の少なくとも一部をビームフォーミングモジュールに適用するように構成される。
【０００６】
さらに、本開示は、聴覚機器のビームフォーミングを制御する方法に関する。前記方法は、ビームフォーミングスキームを制御して、第１係数組の少なくとも一部をマイクロホン入力信号と対側信号とに適用することと、目標係数組を決定することと、前記第１係数組と前記目標係数組とに基づいて第１中間係数組を決定することと、前記ビームフォーミングスキームを制御して前記第１中間係数組の少なくとも一部を前記マイクロホン入力信号と前記対側信号とに適用することと、前記ビームフォーミングスキームを制御して、前記目標係数組の少なくとも一部を前記マイクロホン入力信号と前記対側信号とに適用することと、を備える。
【０００７】
本開示の利点として、本明細書に記載の聴覚機器は、柔軟かつスムーズ、それでいて知覚可能なビームフォーミング動作の誘導または制御という有用な特性を利用するものである。本開示に係るビームフォーミングの制御は、ユーザーがビームフォーミングの変化を感じる上でちょうど良い程度に知覚可能であり、それでいて聴覚機器のユーザーの使用感を損なわないように、スムーズに実行される。
【０００８】
バイノーラル聴覚システムの聴覚機器であって、バイノーラル聴覚システムは、聴覚機器と、聴覚機器と、を備え、聴覚機器は、バイノーラルシステムの対側聴覚機器と通信するための送受信機モジュールであって、対側聴覚機器から受信した対側信号を提供するように構成される送受信機モジュールと、第１マイクロホン入力信号と第２マイクロホン入力信号をそれぞれ提供するための、第１マイクロホンと第２マイクロホンとを備えるマイクロホン組と、第１マイクロホンと第２マイクロホンとに接続され、第１マイクロホン入力信号と第２マイクロホン入力信号と対側信号とを処理するビームフォーミングモジュールであって、第１ビームフォーミング済み入力信号を提供するように構成されるビームフォーミングモジュールと、第１ビームフォーミング済み入力信号に基づいて電気出力信号を提供するように構成される処理部と、電気出力信号に基づいてオーディオ出力信号を提供するように構成されるレシーバと、ビームフォーミングモジュールと送受信機モジュールとに接続されるビームフォーミングコントローラと、を含み、ビームフォーミングコントローラは、ビームフォーミングモジュールを制御して第１係数組の少なくとも一部を適用し、ビームフォーミングモジュールに対する目標係数組を決定し、第１係数組の１つ以上の係数と目標係数組の１つ以上の係数に基づいて第１中間係数組を決定し、ビームフォーミングモジュールを制御して第１中間係数組の少なくとも一部を適用し、ビームフォーミングモジュールを制御して目標係数組の少なくとも一部を適用する、ように構成される。
【０００９】
任意で、第１中間係数組は正規化される。
【００１０】
任意で、ビームフォーミングコントローラは、目標係数組が柔軟な制御基準を満たすか否かを決定するように構成され、目標係数組が前記柔軟な制御基準を満たすとき、ビームフォーミングコントローラは、第１中間係数組を決定し、ビームフォーミングモジュールを制御して、第１中間係数組の少なくとも一部を適用するように構成される。
【００１１】
任意で、柔軟な制御基準は、知覚パラメータに基づいている。
【００１２】
任意で、知覚パラメータは、１つ以上のユーザーの好みに基づいている。
【００１３】
任意で、柔軟な制御基準は、ステップパラメータに基づいている。
【００１４】
任意で、ステップパラメータは、ある範囲から選択される。
【００１５】
任意で、ビームフォーミングコントローラは、音響環境パラメータに基づいて目標係数組を決定するように構成される。
【００１６】
任意で、ビームフォーミングコントローラは、統計的期待値に基づいて第１係数組のコスト関数を最適化することで、ビームフォーミングモジュールに対する目標係数組を決定するように構成される。
【００１７】
任意で、ビームフォーミングコントローラは、第２中間係数組を決定するように構成され、ビームフォーミングコントローラは、目標係数組を適用する前に、ビームフォーミングモジュールを制御して、第１中間係数組と第２中間係数組との少なくとも一部を適用するように構成される。
【００１８】
聴覚機器のビームフォーミングを制御する方法であって、方法は、ビームフォーミングスキームを制御して、第１係数組の少なくとも一部をマイクロホン入力信号と対側信号とに適用することと、目標係数組を決定することと、第１係数組における１つ以上の係数と目標係数組における１つ以上の係数とに基づいて、第１中間係数組を決定することと、ビームフォーミングスキームを制御して第１中間係数組の少なくとも一部をマイクロホン入力信号と対側信号とに適用することと、ビームフォーミングスキームを制御して目標係数組の少なくとも一部をマイクロホン入力信号と対側信号とに適用することと、を含む。
【００１９】
任意で、方法は、目標係数組が柔軟な制御基準を満たすか否かを決定することをさらに含み、目標係数組が柔軟な制御基準を満たすとき、第１中間係数組を決定することと、ビームフォーミングモジュールを制御して、第１中間係数組の少なくとも一部を適用することとが実行される。
【００２０】
任意で、目標係数組を決定することは、音響環境パラメータに基づいて実行される。
【００２１】
任意で、目標係数組を決定することは、統計的期待値に基づいて第１係数組のコスト関数を最適化することを備える。
【００２２】
任意で、方法は、第２中間係数組を決定することと、目標係数組を適用する前に、ビームフォーミングモジュールを制御して第１中間係数組と第２中間係数組の少なくとも一部を適用することと、を含む。
【００２３】
他の特徴および／または有利な特徴は、詳細な説明に記載される。
【００２４】
本発明の上述の、およびその他特徴および利点が、添付の図面を参照にする詳細な例示的実施形態の説明により、当業者に対してより明らかになろう。
【図面の簡単な説明】
【００２５】
【図１】例示的な聴覚機器を概略的に示す。
【図２】本開示に係る例示的な方法のフローチャートである。
【発明を実施するための形態】
【００２６】
関連する場合に図面を参照しながら、各種実施形態および詳細を以下で説明する。図面は縮尺通りに描写されていてもされていなくてもよく、類似の構造または機能の要素は図面全体にわたって同じ参照番号により表されるという点に留意すべきである。また、図面は実施形態の説明を容易にすることを意図するものに過ぎないことに留意すべきである。図面は、本発明の包括的な説明としても、または本発明の範囲に対する制限としても意図されていない。加えて、図示した実施形態は、示されるすべての態様または利点を有する必要はない。特定の実施形態とともに記載される態様または利点は必ずしもその実施形態に限定されず、示されていなくても、または明示的に説明されていなくても、任意の他の実施形態で実施可能である。
【００２７】
本開示は、耳から耳へのオーディオストリーミングに関するものとみなすことができる。本発明者らは、騒音の大きい環境や、カクテルパーティーシナリオが生じる状況にて、バイノーラル聴覚システムの両聴覚機器からの信号の利用がビームフォーミングによる音声明瞭度向上に寄与することを確認した。
【００２８】
現状なされてきたビームフォーミングによるノイズ低減の試みは、人の聴覚系のメカニズムや、会話中における社会的交流の必要性を考慮したものではない。例えば、最上の高指向性ビームフォーミングでは、効果が過剰となり、方向から外れた発話者からの音声を必要以上に抑制してしまい、トンネルヒアリングの問題を生じ得る。本開示は、聴覚系のバイノーラル聴覚ステアリングストラテジと、ビームフォーミングおよび方向から外れた音源のモニタとなる耳へのステアリングのための耳から耳へのオーディオストリーミングを利用するものである。これにより以下の効果が得られる。
【００２９】
１．聴覚環境に対する適切な指向性指標による音声明瞭度の向上。
【００３０】
２．選択的な聴き取りのために、複数のストリームを維持するモニタとなる耳に起因する、方向から外れた音源の提供による環境中のあらゆる音への認識度（状況認識）の向上（例えば、複数のストリームを維持するモニタとなる耳に起因する方向から外れた音源に対する認識度の向上）。
【００３１】
本明細書では、聴覚機器が開示される。聴覚機器は補聴器であってもよく、その処理部はユーザーの聴力損失を補うように構成される。
【００３２】
聴覚機器は、例えば、耳掛け（ＢＴＥ）型、耳穴（ＩＴＥ）型、外耳道内（ＩＴＣ）型、外耳道内レシーバ（ＲＩＣ）型、または耳穴内レシーバ（ＲＩＴＥ）型の補聴器であってよい。聴覚機器はバイノーラル補聴器であってもよい。聴覚機器は、第１イヤーピースと、第２イヤーピースとを備えてもよく、第１イヤーピースおよび／または第２イヤーピースが、本明細書に開示のイヤーピースとなる。
【００３３】
聴覚機器はバイノーラル聴覚システムの一部であってもよい。当該バイノーラル聴覚システムは、聴覚機器と、対側聴覚機器とを備える。
【００３４】
聴覚機器は、バイノーラルシステムの対側聴覚機器と通信するための送受信機モジュールを備える。送受信機モジュールは、対側聴覚機器から受信した対側信号を提供するように構成される。具体的には、送受信機モジュールは、対側聴覚機器から受信した対側信号を、有線または無線接続を介して提供するように構成される。
【００３５】
聴覚機器は、第１マイクロホン入力信号と第２マイクロホン入力信号をそれぞれ提供するための、第１マイクロホンおよび第２マイクロホンを備えるマイクロホン組を備える。マイクロホン組は、Ｎ個のマイクロホンを備え、Ｎ個のマイクロホン入力信号を提供するものであってもよい。例えば、Ｎは、１〜１０や１〜２０等、１〜５０の範囲内の整数である。１つ以上の例示的な聴覚機器において、マイクロホンの数Ｎは、２、３、４、５またはそれ以上である。マイクロホン組は、第３マイクロホン入力信号を提供する第３マイクロホンを備えてもよい。
【００３６】
聴覚機器は、第１マイクロホンと第２マイクロホンとに接続されて、第１マイクロホン入力信号と、第２マイクロホン入力信号と、対側信号とを処理するビームフォーミングモジュールを備えてもよい。ビームフォーミングモジュールは、第１ビームフォーミング済み入力信号を提供するように構成される。
【００３７】
聴覚機器は、ビームフォーミング済み入力信号を処理するものであって、ビームフォーミングモジュールからの第１ビームフォーミング済み入力信号に基づいて、電気出力信号提供する、処理部を備える。聴覚機器は、（１つ以上の）ビームフォーミング済み入力信号等の入力信号を処理する処理部を備える。処理部の（１つ以上の）入力端子は任意で、ビームフォーミングコントローラおよび／またはビームフォーミングモジュールの各出力端子に接続される。例えば、処理部の送受信機入力端子は、前処理部の送受信機出力端子に接続されてもよい。処理部の１つ以上のマイクロホン入力端子はそれぞれ、前処理部の１つ以上のマイクロホン出力端子に接続される。
【００３８】
聴覚機器は、電気出力信号を、オーディオ出力信号に変換するレシーバを備える。
【００３９】
聴覚機器は、ビームフォーミングモジュールと送受信機モジュールとに接続されるビームフォーミングコントローラを備える。ビームフォーミングコントローラは、ビームフォーミングモジュールを制御してビームフォーミングモジュールにおいて第１係数組の少なくとも一部を適用するように構成される。ビームフォーミングモジュールは、第１マイクロホン入力信号および／または第２マイクロホン入力信号等のマイクロホン入力信号に、第１係数組の少なくとも一部を適用するように構成されてもよい。ビームフォーミングコントローラは、制御信号を、例えば送受信機を介して対側聴覚機器に送信するように構成される。これにより、対側装置が、対応するビームフォーミング係数を対側信号に適用可能となる。この対応するビームフォーミング係数は、第１係数組の一部であってもよい。対側信号に適用される対応するビームフォーミング係数は、マイクロホン入力信号に適用されるビームフォーミング係数とは異なっていてもよい。
【００４０】
ビームフォーミングコントローラは、対側信号、第１マイクロホン入力信号および／または第２マイクロホン入力信号等に基づいて、ビームフォーミングモジュールに対して目標係数組を決定するように構成されてもよい。１つ以上の例示的な聴覚機器において、ビームフォーミングコントローラは、音響環境分類等を示す音響環境パラメータに基づいて、目標係数組を決定するように構成される。例えば、ビームフォーミングコントローラは、例えば聴覚機器に接続されたアクセサリ装置上で動作するアプリケーションを介して、手動でユーザー入力を受信することで、中間組および／または目標組へのシフトを開始するように構成されてもよい。例えば、ビームフォーミングコントローラは基準が満たされたか否かを決定して、中間組および／または目標組へのシフトを開始するように構成されてもよい。この基準は、１つ以上のユーザーの好み、および／または環境のノイズレベルに基づくものである。
【００４１】
１つ以上の例示的な聴覚機器において、ビームフォーミングコントローラは、統計的期待値に基づいて第１係数組のコスト関数を最適化することで、ビームフォーミングモジュールの目標係数組を決定するように構成される。言い換えると、ビームフォーミングコントローラは、最小化問題を解くことで、ビームフォーミングモジュールの目標係数組を決定するように構成される。
【００４２】
１つ以上の例示的な聴覚機器において、第１中間係数組は正規化される。例えば、第１中間係数組の全係数の和は１となる。即ち、［α｜β］を第１中間係数組として、α＋β＝１等が成立する。
【００４３】
ビームフォーミングコントローラは、任意で第１係数組の正規化等、１つ以上の制約下で、コスト関数を最適化するように構成されてもよい。
【００４４】
目標係数組は、第１ビームフォーミング済み入力信号に関連した（そしてマイクロホン入力信号に適用される）、αで示される一次目標係数組、および／または対側信号のビームフォーミング用であって対側聴覚機器に対する、βで示される二次目標係数組を備えることが想定され得る。
【００４５】
言い換えると、目標係数組（α、β）を決定することは、制約α＋β＝１下で、最小化問題を解くことを備え得る。これは以下のとおり与えられる。
【００４６】
【数１】
2019135826.tif 000003
【００４７】
式中、ｌｉとｒｉとは、それぞれｉ番目のサブバンドにおける第１ビームフォーミング済み入力信号と対側信号とを示し、αは一次目標係数組を示す。目標音源は、ゼロ方向軸上に位置するものとする。上記式は、以下のとおりに簡略化できる。
【００４８】
【数２】
2019135826.tif 000004
【００４９】
式中、ｒｍｓは信号（例えば信号振幅または位相、あるいは信号を示すその他の測定基準）の二乗平均平方根を示す。これは、制約α＋β＝１の下、Ｅを統計的期待値として、以下のコスト関数Ｃ（α、β）でαおよびβを解くことに等しい。
【００５０】
【数３】
2019135826.tif 000005
【００５１】
ここで、αは第１バンドパス係数であり、βは対側バンドパス係数である。
【００５２】
１つ以上の例示的な聴覚機器において、最小化問題を解くことは、確率的最急降下アルゴリズムを適用することを備えてもよい。
【００５３】
１つ以上の例示的な聴覚機器において、最小化問題を解くことは、最小二乗平均アルゴリズムまたは正規化最小二乗平均アルゴリズムを適用することを備えてもよい。
【００５４】
最小化問題は、以下のように適応的に得られてもよい。
【００５５】
【数４】
2019135826.tif 000006
【００５６】
この最小化問題は、以下から構成される確率的最急降下アルゴリズムを利用して解いてもよい。
【００５７】
次の勾配を取る。
【００５８】
【数５】
2019135826.tif 000007
【００５９】
次のラグランジュを解く。
【００６０】
【数６】
2019135826.tif 000008
【００６１】
【数７】
2019135826.tif 000009
【００６２】
【数８】
2019135826.tif 000010
【００６３】
解は以下の通りである。
【００６４】
【数９】
2019135826.tif 000011
【００６５】
μはステップサイズである。
【００６６】
最小化問題を、次のＬＭＳ（最小二乗平均）アルゴリズムを使用して解いてもよい。
【００６７】
【数１０】
2019135826.tif 000012
【００６８】
最小化問題は、次のＮＬＭＳ（正規化最小二乗平均）アルゴリズムを使用して解いてもよい。
【００６９】
【数１１】
2019135826.tif 000013
【００７０】
または、最小化問題は、次のＮＬＭＳ（正規化最小二乗平均）アルゴリズムを使用して解いてもよい。
【００７１】
【数１２】
2019135826.tif 000014
【００７２】
３つのアルゴリズムは全て、ｖ・ｖ＞０が成立すれば更新される。
【００７３】
解は以下の通りである。
【００７４】
【数１３】
2019135826.tif 000015
【００７５】
ここで、出力はｖ＝αｎｌｉ＋βｎｒｉであり、ステップサイズμ＝０．００１であり、αｎおよびβｎとは、それぞれバンドパスビームフォーマで使用される第１バンドパス係数および対側バンドパス係数である。
【００７６】
信号ベクトルｌｉおよびｒｉのサイズは、［２０−６０］の範囲内であってもよく、例えば、８ｋＨｚ〜３３ｋＨｚの範囲内、例えば、１６ｋＨｚのサンプリングレートで、４８サンプルとなる。信号ベクトルは、計算の２フレームで累積されてもよい。
【００７７】
１つ以上の例示的な聴覚機器において、例えば、１つ以上のサブバンドに対するより良い耳のストラテジ（最小化問題）は、以下のように表される。
【００７８】
【数１４】
2019135826.tif 000016
【００７９】
例えば、ビームフォームコントローラはこの最小化問題を解くことで、目標係数組を決定するように構成されてもよい。適応過程が収束すると、ビームフォーミング結果（一次目標組と二次目標組（例えば、対側に対応）とを備える目標組）が解となる。適応過程が等しい重み（α0＝β0＝０．５）で開始すると、より良い耳での聴き取りのためのストラテジにおいて、３つの信号の最小ＲＭＳから信号を選択できる。聴覚機器に対する式（９ａ）に関して、対側聴覚機器が存在する場合、当該機器における１つ以上のサブバンドに対するより良い耳のストラテジ（最小化問題）は以下のとおりに表される。
【００８０】
【数１５】
2019135826.tif 000017
【００８１】
１つ以上の例示的な聴覚機器において、ビームフォーミングコントローラは、中間係数組の数を決定するように構成される。例えば、ビームフォーミングコントローラ１２は、以下のとおりに中間組の数Ｎを決定するように構成される。
【００８２】
【数１６】
2019135826.tif 000018
【００８３】
式中、Ｄは、現在の組から目標組までの距離を示し、μはステップサイズを示す。
【００８４】
ビームフォーミングコントローラは、目標係数組を適用する前に、各中間係数組の係数を決定し、次いでビームフォーミングモジュールを制御して、中間係数組の少なくとも一部を適用するように構成されてもよい。ビームフォーミングコントローラは、ステップパラメータに基づいて、各中間係数組の係数を決定するように構成されてもよい。
【００８５】
ビームフォーミングコントローラは、第１組と目標係数組とに基づいて第１中間係数組を決定するように構成されてもよい。ビームフォーミングコントローラは、ビームフォーミングモジュールを制御してビームフォーミングモジュールにおける第１中間係数組の少なくとも一部を適用するように構成されてもよい。制御されるビームフォーミングは、ビームフォーミングモジュールにおける目標係数組の少なくとも一部を適用するようにビームフォーミングモジュールを制御するように構成される。
【００８６】
１つ以上の例示的な聴覚機器は、例えば第１無線入力信号および／または第２無線入力信号のような１つ以上の無線入力信号を、アンテナ出力信号に変換するためのアンテナを有してもよい。（１つ以上の）無線入力信号は、対側聴覚機器または、無線送信器に紐付けられた、（１つ以上の）スパウスマイクロホン装置、無線テレビ音声送信機、および／または分散マイクロホンアレイ等の（１つ以上の）外部音源から発せられるものであってもよい。
【００８７】
１つ以上の例示的な聴覚機器において、送受信機は、アンテナに接続されて、アンテナ出力信号を送受信機入力信号に変換する無線送受信機を備えてもよい。
【００８８】
１つ以上の例示的な聴覚機器において、聴覚機器は、複数のアンテナを備えてもよく、および／またはアンテナが１つ以上のアンテナモードで動作するように構成されてもよい。
【００８９】
１つ以上の例示的な聴覚機器において、ビームフォーミングコントローラは、目標係数組が柔軟な制御基準を満たすかを判定するように構成される。目標係数組が柔軟な制御基準を満たすとき、第１組および目標係数組に基づいて第１中間係数組を決定することと、ビームフォーミングモジュールを制御してビームフォーミングモジュールにおける第１中間係数組の少なくとも一部を適用することを実行してもよい。
【００９０】
１つ以上の例示的な聴覚機器において、柔軟な制御基準は知覚パラメータに基づいている。１つ以上の例示的な聴覚機器において、知覚パラメータは１つ以上のユーザーの好みに基づいている。例えば、知覚パラメータは、中間および／または目標係数組が連続的且つ知覚可能なように（例えば、十分な知覚ができる程度で）ユーザーの好みに基づいて、フィッティング時に設定される。知覚パラメータは、ユーザーがわずかに知覚できる変化として表現されたものからのフィードバックに基づいて、フィッタにより設定されることが考えられる。例えば、中間または目標組の決定、および／またはそれに対するシフトの開始は、例えば、聴覚機器に接続されたアクセサリ装置上で動作するアプリケーションにより、手動でトリガされてもよい。例えば、中間または目標組の決定、および／またはそれに対するシフトの開始は、基準が満たされたかに基づいて自動でトリガされてもよい。基準は１つ以上のユーザーの好みおよび／または環境ノイズレベルに基づくものであってもよい。
【００９１】
１つ以上の例示的な聴覚機器において、柔軟な制御基準はステップパラメータに基づく。ステップパラメータは、増加値を示すものであってもよい。例えば、ステップパラメータはステップサイズ、増分ステップ、または徐々に増加するステップを示すものであってもよい。ステップパラメータは、知覚パラメータに基づいてもよい。１つ以上の例示的な聴覚機器において、ステップパラメータはある範囲から選択される。ステップパラメータは、知覚パラメータに基づいて、［０．１および０．７］の間等の範囲から選択されてもよい。
【００９２】
１つ以上の例示的な聴覚機器において、ビームフォーミングコントローラは、決定された目標係数組に１つ以上の制約を適用して、目標係数組を正規化するように構成される。これにより、聴覚機器ユーザーの好みに基づいて、異なる様々なビームフォーミング要求を満たすのである。例えば、目標係数組の最適値は、音響シーンに応じて大きく変動し得る。例えば、各耳または聴覚機器の目標係数範囲は、［α１，α２］の間、例えば［−０．２，１．２］の間、［０，１］の間、さらには［０．５，０．５］の間等に限定されてもよい。１つ以上の例示的な聴覚機器において、ビームフォーミングコントローラは、一方の目標係数組を制御して、他方の聴覚機器にそれを伝達して、モニタのためのビームパターンを使用するように構成される。
【００９３】
本技術が適用される図示の例では、特定の方法で係数を変更することに重点が置かれる。これにより、指向性指標が最適から準最適へと変更でき、異なる様々なビームフォーミング要求を満たすことができる。例えば、係数に対して、［−０．２，１．２］のような範囲が制約として選択できる。第１係数組の第１係数は０．０となる。ビームフォーミングコントローラは、目標係数組の第１係数を１．２と決定する。ビームフォーミングコントローラは、ステップサイズ０．２の柔軟な基準に基づいて、第１中間係数組の第１係数を０．２と決定する。ビームフォーミングコントローラは、ステップサイズ０．２の柔軟な基準に基づいて、第２中間係数組の第１係数を０．４と決定する。ビームフォーミングコントローラは、ステップサイズ０．２の柔軟な基準に基づいて、第３中間係数組の第１係数を０．６と決定する。ビームフォーミングコントローラは、ステップサイズ０．２の柔軟な基準に基づいて、第４中間係数組の第１係数を０．８と決定する。ビームフォーミングコントローラは、ステップサイズ０．２の柔軟な基準に基づいて、第５中間係数組の第１係数を１と決定する。ビームフォーミングコントローラは、第１、第２、第３、第４、第５中間係数組と、目標係数組をビームフォーミングモジュールに提供する。ビームフォーミングモジュールは、第１、第２、第３、第４、第５中間係数組と、目標係数組の少なくとも一部を、第１および第２マイクロホン入力信号に適用する。ビームフォーミングコントローラは、第１、第２、第３、第４、第５中間係数組および目標係数組を対側に提供してもよい。対側は、少なくとも第１、第２、第３、第４、第５中間係数組および目標係数組を対側信号に適用する。
【００９４】
このようにして、本開示は、関心が向けられている耳の拡散音場での聴き取りのための指向性指標向上、選択的な聴き取りのための複数のストリームを実現するための耳指標向上、状況認識向上を実現する。これにより、音響状況に基づいて、指向性指標と状況認識との間の理想的な選択が可能となる。開示の聴覚機器は、ビームフォーミングの連続性を実現し、柔軟かつスムーズなステアリングを可能とする。これにより、一方の聴覚機器がオープンイヤーとして機能しながら、他方の聴覚機器を指向性モードに設定できる。
【００９５】
本開示は、聴覚機器のビームフォーミングを制御する方法に関する。方法は、第１係数組の少なくとも一部を、マイクロホン入力信号および対側信号に適用するために、ビームフォーミングスキームを制御することを備える。対側信号は、上記の聴覚機器を有するバイノーラル聴覚機器システムの対側聴覚機器から受信される。
【００９６】
方法は、目標係数組を決定することを備える。
【００９７】
方法は、第１組と、目標係数組とに基づいて、第１中間係数組を決定することを備える。
【００９８】
１つ以上の例示的な方法は、目標係数組が柔軟な制御基準を満たすかを判定することを備える。第１組および目標係数組に基づいて、第１中間係数組を決定することと、ビームフォーミングモジュールを制御してビームフォーミングモジュールにおける第１中間係数組の少なくとも一部を適用することとは、目標係数組が柔軟な制御基準を満たした場合に実行されてもよい。
【００９９】
１つ以上の例示的な方法において、目標係数組を決定することは、音響環境パラメータに基づいて実行される。
【０１００】
１つ以上の例示的な方法において、目標係数組を決定することは、統計的期待値に基づいて第１係数組のコスト関数を最適化することを備える。
【０１０１】
方法は、ビームフォーミングスキームを制御して第１中間係数組の少なくとも一部をマイクロホン入力信号と対側信号とに適用することを備える。
【０１０２】
方法は、ビームフォーミングスキームを制御して目標係数組の少なくとも一部をマイクロホン入力信号と対側信号とに適用することを備える。
【０１０３】
１つ以上の例示的な方法は、目標係数組を適用する前に、中間係数組の数を決定することと、各中間係数組について１つ以上の係数を決定することと、次いでビームフォーミングモジュールを制御して中間係数組の少なくとも一部を適用することとを含んでもよい。
【０１０４】
本開示は、ビームフォーミング制御の連続性を有利に提供する。本開示は、音声明瞭度と、状況認識のためのバイノーラルな測定基準に基づいた単調な機能であって、所与の音響環境における聴覚的要求に良く対応した連続性を提供するものとらえられる。
【０１０５】
全ての図を通して、同一の参照符号は、同一または対応する要素を示す。
【０１０６】
図１は、本開示に係る例示的な聴覚機器を示す。聴覚機器２は、当該聴覚機器と対側聴覚機器とを備えるバイノーラル聴覚システムで使用されるように構成される。聴覚機器２（バイノーラル聴覚システムの（左／右）聴覚機器）は、バイノーラルシステムの対側（右／左）聴覚機器（図１では不図示）と、（例えば、無線）通信のための送受信機モジュール４とを備える。送受信機モジュール４は、アンテナ４Ａと、無線送受信機４Ｂとを備えてもよい。送受信機モジュール４は、対側聴覚機器から受信した対側ビームフォーム信号５を提供するように構成される。
【０１０７】
聴覚機器２は、それぞれ第１マイクロホン入力信号６Ａと、第２マイクロホン入力信号８Ａとを提供するための、第１マイクロホン６および第２マイクロホン８を備えるマイクロホン組を備える。聴覚機器２は、第１マイクロホン６および第２マイクロホン８に接続されて、第１マイクロホン入力信号６Ａ、第２マイクロホン入力信号８Ａ、対側信号５を受信、処理するビームフォーミングモジュール１０を備える。ビームフォーミングモジュール１０は、第１マイクロホン入力信号６Ａおよび第２マイクロホン入力信号８Ａに基づいて、第１ビームフォーミング済み入力信号１０Ａを提供または出力する。
【０１０８】
聴覚機器２は、ビームフォーミング済み入力信号１０Ａを処理するものであって、第１ビームフォーミング済み入力信号１０Ａに基づいて電気出力信号１６Ａを提供する処理部１６と、電気出力信号１６Ａをオーディオ出力信号に変換するレシーバ１８とを備える。
【０１０９】
聴覚機器２は、ビームフォーミングモジュール１０と送受信機４とに接続されるビームフォーミングコントローラ１２を備える。
【０１１０】
ビームフォーミングコントローラ１２は、ビームフォーミングモジュール１０を制御してビームフォーミングモジュール１０における第１係数組の少なくとも一部を適用するように構成される。
【０１１１】
ビームフォーミングコントローラ１２は、ビームフォーミングモジュール１０に対する目標係数組を決定するように構成されてもよい。ビームフォーミングコントローラ１２は、対側信号５、第１マイクロホン入力信号６Ａおよび／または第２マイクロホン入力信号８Ａに基づいて、目標係数組を決定するように構成されてもよい。１つ以上の例示的な聴覚機器において、ビームフォーミングコントローラ１２は、音響環境パラメータに基づいて、目標係数組を決定するように構成される。例えば、目標組の決定、および／またはそれに対するシフトの開始は、例えば、聴覚機器に接続されたアクセサリ装置上で動作するアプリケーションにより、手動でトリガされてもよい。例えば、目標組の決定および／またはそれに対するシフトの開始は、基準が満たされたかに基づいて自動でトリガされてもよい。基準は１つ以上のユーザーの好みおよび／または環境ノイズレベルに基づくものであってもよい。
【０１１２】
１つ以上の例示的な聴覚機器において、ビームフォーミングコントローラ１２は、統計的期待値に基づいて第１係数組のコスト関数を最適化することで、ビームフォーミングモジュール１０の目標係数組を決定するように構成される。ビームフォーミングコントローラ１２は、第１係数組の正規化等、１つ以上の制約下で、コスト関数を最適化するように構成されてもよい。ビームフォーミングコントローラ１２は、式（１）から（９）に表された計算のいずれかを実行するように構成されてもよい。
【０１１３】
１つ以上の例示的な聴覚機器において、ビームフォーミングコントローラ１２は、中間係数組の数を決定するように構成される。例えば、ビームフォーミングコントローラ１２は、式（１０）にある中間組の数Ｎを決定するように構成される。
【０１１４】
ビームフォーミングコントローラ１２は、目標係数組を適用する前に、各中間係数組の係数を決定し、次いでビームフォーミングモジュール１０を制御して中間係数組の少なくとも一部を適用するように構成されてもよい。ビームフォーミングコントローラ１２は、ステップパラメータに基づいて、各中間係数組の係数を決定するように構成されてもよい。ビームフォーミングコントローラ１２は、中間組を示す制御信号１３を使用して各中間係数組をビームフォーミングモジュール１０に送信するように構成されてもよい。ビームフォーミングモジュール１０は、マイクロホン入力信号８Ａおよび６Ａのいずれか一方に、中間組の少なくとも一部を適用し、その後、目標係数組の少なくとも一部を適用するように構成される。
【０１１５】
ビームフォーミングコントローラ１２は、第１係数組および目標係数組に基づいて第１中間係数組を決定するように構成されてもよい。ビームフォーミングコントローラ１２は、例えば、制御信号１３をビームフォーミングモジュール１０に送信することによって、ビームフォーミングモジュール１０を制御して、第１中間組の少なくとも一部、ひいてはビームフォーミングモジュール１０における目標係数組を適用するように構成される。ビームフォーミングコントローラ１２は、ビームフォーミングモジュール１０を制御してマイクロホン入力信号８Ａおよび６Ａのいずれか一方に目標係数組の少なくとも一部を適用するように構成される。
【０１１６】
ビームフォーミングコントローラ１２は、制御信号１３内の目標係数組をビームフォーミングモジュール１０に送信するように構成される。
【０１１７】
第１中間係数組は、第１一次中間係数組および第１二次中間係数組を備えもよい。ビームフォーミングモジュール１０は、第１一次中間係数組を第１、第２マイクロホン入力信号６Ａ、８Ａに適用するように構成される。ビームフォーミングコントローラ１４は、第１中間組を示す制御信号１４Ｂを送受信機モジュール４に提供するように構成されてもよい。送受信機モジュール４は、制御信号１４Ｂを対側信号に送信するように構成される。制御信号１４Ｂは、第１中間係数組を備えもよい。対側聴覚機器は、第１二次中間係数組を対側信号に適用するように構成される。
【０１１８】
図２は、本開示に係る聴覚機器におけるビームフォーミングを制御する例示的な方法のフローチャートである。方法１００は、聴覚機器において実行される。方法１００は、ビームフォーミングスキームを制御１０２して、第１係数組の少なくとも一部をマイクロホン入力信号および対側信号に適用することを備える。
【０１１９】
方法１００は、目標係数組を決定１０４することを備える。１つ以上の例示的な方法では、目標係数組の決定１０４は音響環境パラメータに基づいて行われる。１つ以上の例示的な方法では、目標係数組の決定１０４は、統計的期待値に基づいて第１係数組のコスト関数を最適化１０４ａすることを備える。
【０１２０】
方法１００は、第１係数組および目標係数組に基づいて第１中間係数組を決定１０６することを備える。
【０１２１】
方法１００は、ビームフォーミングスキームを制御１１０して、第１中間係数組の少なくとも一部をマイクロホン入力信号および対側信号に適用することを備える。ビームフォーミングスキームを制御１１０して第１中間係数組の少なくとも一部をマイクロホン入力信号に適用することは、第１中間係数組を含む制御信号を聴覚機器のビームフォーミングモジュールと対側聴覚機器とに送信することを備えてもよい。第１中間係数組は、第１一次中間係数組および第１二次中間係数組を備えてもよい。ビームフォーミングモジュールは、第１一次中間係数組をマイクロホン入力信号に適用するように構成され、対側聴覚機器は、第１二次中間係数組を対側信号に適用するように構成される。
【０１２２】
１つ以上の例示的な方法では、方法１００は、目標係数組が柔軟な制御基準を満たすか否かを決定１０５することを備える。目標係数組が柔軟な制御基準を満たすと、第１組および目標係数組に基づいて第１中間係数組を決定１０６することと、ビームフォーミングモジュールを制御１１０してビームフォーミングモジュールにおいて第１中間係数組の少なくとも一部を適用することを実行してもよい。
【０１２３】
方法１００は、ビームフォーミングスキームを制御１１２して、目標係数組の少なくとも一部をマイクロホン入力信号および対側信号に適用することを備える。ビームフォーミング方式を制御１１２して目標係数組をマイクロホン入力信号および対側信号に適用することは、目標係数組を含む制御信号を聴覚機器のビームフォーミングモジュールと対側聴覚機器とに送信することを備えてもよい。目標係数組は、一次目標係数組および二次目標係数組を備えてもよい。ビームフォーミングモジュールは、一次目標係数組をマイクロホン入力信号に適用するように構成され、対側聴覚機器は、二次目標係数組を対側信号に適用するように構成される。
【０１２４】
１つ以上の例示的な方法において、目標係数組を決定１０４することは、音響環境パラメータに基づいて実行される。
【０１２５】
１つ以上の例示的な方法において、目標係数組を決定１０４することは、統計的期待値に基づいて第１係数組のコスト関数を最適化１０４ａすることを備える。
【０１２６】
１つ以上の例示的な方法において、方法１００は、例えば、ステップパラメータに基づいて、中間係数組の数を決定１０７することを備える。
【０１２７】
方法１００は、目標係数組を適用する前に、各中間係数組の１つ以上の係数を決定１０８し、次いでビームフォーミングモジュールを制御１０９して中間係数組の少なくとも一部を適用することを備えてもよい。中間係数組は、一次中間係数組および二次中間係数組を備えてもよい。ビームフォーミングモジュールは、一次中間係数組をマイクロホン入力信号に適用するように構成され、対側聴覚機器は、二次中間係数組を対側信号に適用するように構成される。
【０１２８】
本明細書において、「処理部」という用語は、ソフトウェア、ハードウェア、またはそれらの組み合わせを示し得る。また、「処理部」という用語は、プロセッサ、集積回路、プロセッサの一部、または集積回路の一部であってもよい。いくつかの実施形態において、処理部は少なくともいくつかのハードウェアを含む。さらに、いくつかの実施形態において、処理部１６はビームフォーミングモジュール１０および／またはビームフォーミングコントローラ１２も実現するプロセッサの一部であってもよい。別の実施形態において、処理部１６はビームフォーミングモジュール１０および／またはビームフォーミングコントローラ１２に接続されたプロセッサであってもよい。
【０１２９】
同様に、本明細書において使用される、「モジュール」（例えば、「ビームフォーミングモジュール」）という用語は、ソフトウェア、ハードウェア、またはそれらの組み合わせを示し得る。また、「モジュール」という用語は、プロセッサ、集積回路、プロセッサの一部、または集積回路の一部であってもよい。いくつかの実施形態において、モジュールは少なくともいくつかのハードウェアを含む。
【０１３０】
特徴を示し、記載してきたが、これらの特徴は、特許請求の範囲に記載された発明を限定することを意図していないことが理解され、特許請求の範囲に記載された発明の精神および範囲から逸脱することなく種々の変更および改変が行われてもよいことが当業者に明らかになるだろう。したがって、明細書および図面は、限定するという観点ではなく、実例であると考えるべきである。特許請求の範囲に記載された発明は、全ての代替例、改変および均等物を包含することを意図している。以下の項目は、出願時の特許請求の範囲に記載の要素である。
（項目１）
バイノーラル聴覚システムの聴覚機器であって、
前記バイノーラル聴覚システムは、前記聴覚機器と、対側聴覚機器と、を備え、
前記聴覚機器は、
前記バイノーラルシステムの前記対側聴覚機器と通信するための送受信機モジュールであって、前記対側聴覚機器から受信した対側信号を提供するように構成される送受信機モジュールと、
第１マイクロホン入力信号と第２マイクロホン入力信号をそれぞれ提供するための、第１マイクロホンと第２マイクロホンとを備えるマイクロホン組と、
前記第１マイクロホンと前記第２マイクロホンとに接続され、前記第１マイクロホン入力信号と、前記第２マイクロホン入力信号と、前記対側信号とを処理するビームフォーミングモジュールであって、第１ビームフォーミング済み入力信号を提供するように構成されるビームフォーミングモジュールと、
前記第１ビームフォーミング済み入力信号に基づいて電気出力信号を提供するように構成される処理部と、
前記電気出力信号に基づいてオーディオ出力信号を提供するように構成されるレシーバと、
前記ビームフォーミングモジュールと前記送受信機モジュールとに接続されるビームフォーミングコントローラと、を備え、
前記ビームフォーミングコントローラは、
前記ビームフォーミングモジュールを制御して第１係数組の少なくとも一部を適用し、
前記ビームフォーミングモジュールに対する目標係数組を決定し、
前記第１係数組の１つ以上の係数と前記目標係数組の１つ以上の係数に基づいて第１中間係数組を決定し
前記ビームフォーミングモジュールを制御して前記第１中間係数組の少なくとも一部を適用し、
前記ビームフォーミングモジュールを制御して前記目標係数組の少なくとも一部を適用する、ように構成される、聴覚機器。
（項目２）
前記第１中間係数組は正規化される、項目１に記載の聴覚機器。
（項目３）
前記ビームフォーミングコントローラは、前記目標係数組が柔軟な制御基準を満たすか否かを決定するように構成され、
前記目標係数組が前記柔軟な制御基準を満たすとき、前記ビームフォーミングコントローラは、前記第１中間係数組を決定し、前記ビームフォーミングモジュールを制御して、前記第１中間係数組の少なくとも一部を適用するように構成される、項目１または２に記載の聴覚機器。
（項目４）
前記柔軟な制御基準は、知覚パラメータに基づいている、項目１から３のいずれか一項に記載の聴覚機器。
（項目５）
前記知覚パラメータは、１つ以上のユーザーの好みに基づいている、項目１から４のいずれか一項に記載の聴覚機器。
（項目６）
前記柔軟な制御基準は、ステップパラメータに基づいている、項目１から５のいずれか一項に記載の聴覚機器。
（項目７）
前記ステップパラメータは、ある範囲から選択される、項目６に記載の聴覚機器。
（項目８）
前記ビームフォーミングコントローラは、音響環境パラメータに基づいて前記目標係数組を決定するように構成される、項目１から７のいずれか一項に記載の聴覚機器。
（項目９）
前記ビームフォーミングコントローラは、統計的期待値に基づいて前記第１係数組のコスト関数を最適化することで、前記ビームフォーミングモジュールに対する前記目標係数組を決定するように構成される、項目１から８のいずれか一項に記載の聴覚機器。
（項目１０）
前記ビームフォーミングコントローラは、第２中間係数組を決定するように構成され、
前記ビームフォーミングコントローラは、前記目標係数組を適用する前に、前記ビームフォーミングモジュールを制御して、前記第１中間係数組と前記第２中間係数組との少なくとも一部を適用するように構成される、項目１から９のいずれか一項に記載の聴覚機器。
（項目１１）
聴覚機器のビームフォーミングを制御する方法であって、
前記方法は、
ビームフォーミングスキームを制御して第１係数組の少なくとも一部をマイクロホン入力信号と対側信号とに適用することと、
目標係数組を決定することと、
前記第１係数組における１つ以上の係数と前記目標係数組における１つ以上の係数とに基づいて、第１中間係数組を決定することと、
前記ビームフォーミングスキームを制御して前記第１中間係数組の少なくとも一部を前記マイクロホン入力信号と前記対側信号とに適用することと、
前記ビームフォーミングスキームを制御して前記目標係数組の少なくとも一部を前記マイクロホン入力信号と前記対側信号とに適用することと、を備える方法。
（項目１２）
前記方法は、前記目標係数組が柔軟な制御基準を満たすか否かを決定することを備え、
前記目標係数組が前記柔軟な制御基準を満たすとき、前記第１中間係数組を決定することと、前記ビームフォーミングモジュールを制御して前記第１中間係数組の少なくとも一部を適用することとが実行される、項目１１に記載の方法。
（項目１３）
前記目標係数組を決定することは、音響環境パラメータに基づいて実行される、項目１１または１２に記載の方法。
（項目１４）
前記目標係数組を決定することは、統計的期待値に基づいて前記第１係数組のコスト関数を最適化することを備える、項目１１から１３のいずれか一項に記載の方法。
（項目１５）
前記方法は、
第２中間係数組を決定することと、
前記目標係数組を適用する前に、前記ビームフォーミングモジュールを制御して、前記第１中間係数組と第２中間係数組の少なくとも一部を適用することと、を備える、項目１１から１４のいずれか一項に記載の方法。
【符号の説明】
【０１３１】
２      ：聴覚機器
４      ：送受信機モジュール
４Ａ    ：アンテナ
４Ｂ    ：無線送受信機
５      ：対側信号、対側ビームフォーム信号
６      ：第１マイクロホン
６Ａ    ：第１マイクロホン入力信号
８      ：第２マイクロホン
８Ａ    ：第２マイクロホン入力信号
１０    ：ビームフォーミングモジュール
１０Ａ  ：第１ビームフォーミング済み入力信号
１２    ：ビームフォーミングコントローラ
１３    ：ビームフォーミングモジュールへの制御信号
１４Ａ  ：処理部への制御信号
１４Ｂ  ：対側聴覚機器に対する送受信機モジュールへの制御信号
１６    ：処理部
１６Ａ  ：電気出力信号
１８    ：レシーバ
１００  ：聴覚機器におけるビームフォーミングを制御する方法
１０２  ：ビームフォーミングスキームを制御して第１係数組の少なくとも一部をマイクロホン入力信号および対側信号に適用する
１０４  ：目標係数組を決定する
１０４ａ：統計的期待値に基づいて第１係数組のコスト関数を最適化する
１０５  ：目標係数組が柔軟な制御基準を満たすか否かを決定する
１０６  ：第１係数組と目標係数組に基づいて第１中間係数組を決定する
１０７  ：中間係数組の数を決定する
１０８  ：各中間係数組の１つ以上の係数を決定する
１０９  ：目標係数組を適用する前に、ビームフォーミングモジュールを制御して中間係数組の少なくとも一部を適用する
１１０  ：ビームフォーミングスキームを制御して第１中間係数組の少なくとも一部をマイクロホン入力信号および対側信号に適用する
１１２  ：ビームフォーミングスキームを制御して、目標係数組の少なくとも一部をマイクロホン入力信号および対側信号に適用する
【図１】
2019135826.tif 000019
【図２】
2019135826.tif 000020
【外国語明細書】
2019135826000001.pdf
2019135826000002.pdf
2019135826000003.pdf
2019135826000004.pdf